(57)【特許請求の範囲】
【請求項１】
読み取り可能なタグ識別情報を有するタグの当該タグ識別情報と、媒体を特定する識別情報若しくは媒体の所有者を認証可能な識別情報の少なくとも一方からなる認証識別情報を有するＩＣチップを備え且つ携帯可能な認証可能媒体の当該認証識別情報と、上記タグ若しくは上記タグが取り付けられた物品が遺失物と認定されているか否かを示す遺失物情報と、を対応づけた遺失物データを記憶する記憶装置を管理する管理サーバと、
タグ若しくはタグが取り付けられた物品の提供場所に設置され、上記タグ若しくは上記タグが取り付けられた物品が提供されるときに、近距離無線通信を行うことで上記タグのタグ識別情報と認証可能媒体の認証識別情報とを連続して読み取り、格納要求ボタンが押下されたときに、読み取った情報を、上記遺失物データとして登録するための格納要求信号と共に上記管理サーバに送信するタグ登録用の第１リーダライタと、
遺失物の持ち込み場所に設置され、遺失物の持ち込みがあると、該遺失物に付されているタグのタグ識別情報を読み取り、読み取ったタグ識別情報と、該遺失物の保管場所に関する保管場所コードと、上記遺失物データを更新するためのデータ更新要求信号と、を共に上記管理サーバに送信する遺失物登録用の第２リーダライタと、
上記認証可能媒体から、サービス提供その他の目的で上記認証可能媒体の所有者を認証可能な認証識別情報を読み取る際に、上記管理サーバと通信を行い、対応する認証可能媒体に対応する遺失物データの遺失物情報に基づき、遺失物と認定されている遺失物データがある場合には、その旨を自身の表示部に表示、若しくはその情報を上記認証可能媒体に送信するサービス提供端末と、
遺失物の引き渡し場所に設置され、上記遺失物の引き渡し時に、上記認証可能媒体から上記認証識別情報を読み取り、上記認証識別情報を読み取った際に参照ボタンが押下されると、上記認証識別情報に対応し且つ遺失物と認定されているタグ識別情報を上記記憶装置から読み出して上記遺失物引き渡し場所の表示装置に表示し、更に物品に取り付けられたタグを読み取って、読み取られたタグ識別情報が上記タグ識別情報であるか確認する所有者確認用の第３リーダライタと、
を備えることを特徴とする遺失物管理システム。
【請求項２】
上記遺失物の移動がある度に、移動先にある上記第２リーダライタは、上記遺失物に付されているタグのタグ識別情報を読み取り、読み取ったタグ識別情報と、上記遺失物の保管場所に関する保管場所コードと、上記データ更新要求信号と、を共に上記管理サーバに送信し、
上記第１リーダライタ、上記第２リーダライタ、及び上記第３リーダライタのうち少なくとも１つのリーダライタは、上記認証可能媒体から上記認証識別情報を読み取り、参照ボタンが押下されたときに、上記認証識別情報と、参照要求信号と、を共に上記管理サーバに送信し、応答として上記管理サーバから上記遺失物の保管場所の情報を受信して表示し、登録されているタグの確認、及び登録不要なタグの消去又は更新を行うための機能を有することを特徴とする請求項１に記載した遺失物管理システム。
【請求項３】
上記管理サーバは、上記データ更新要求信号と共に、上記認証識別情報及び更新情報を入力すると、上記記憶装置内の対応する遺失物データを更新し、上記遺失物情報に対して、遺失物と認定されていない場合に初期フラグを設定し、遺失物と認定されている場合に遺失フラグを設定することを特徴とする請求項１又は請求項２に記載した遺失物管理システム。
【請求項４】
上記管理サーバは、上記更新情報として遺失物情報の初期化情報を入力した場合には、上記記憶装置内の対応する遺失物データの遺失物情報に初期フラグを設定し、上記更新情報として新たな保管場所コードを入力した場合には、上記記憶装置内の対応する遺失物データの保管場所コードを更新することを特徴とする請求項３に記載した遺失物管理システム。
【請求項５】
上記認証可能媒体は、上記認証識別情報として、特定の施設又は空間に対する通行確認用の通行確認端末で読み取り可能な通行許可用の通行認証情報を有し、
上記通行確認端末及び上記サービス提供端末は、上記認証可能媒体から上記通行認証情報を読み取る際に、上記記憶装置を管理する管理サーバと通信を行い、対応する認証可能媒体に対応する遺失物データの遺失物情報に基づき、遺失物と認定されている遺失物データがある場合には、遺失物有りの旨を、上記通行確認端末の表示部に表示し、且つ上記認証可能媒体に書き込むことを特徴とする請求項１から請求項４のいずれか１項に記載した遺失物管理システム。
【請求項６】
上記通行確認端末は、交通機関を利用するために通過する改札口に設けられた自動改札機、及び催し会場並びに特定の企業施設への入退場口に設けられた入退場確認用の端末であり、
上記認証可能媒体は、上記ＩＣチップを備えた移動端末、通行カード、クレジットカード、及び銀行カードであることを特徴とする請求項５に記載した遺失物管理システム。
【請求項７】
上記認証可能媒体は、上記ＩＣチップを備えた移動端末、通行カード、クレジットカード、及び銀行カードであり、
上記サービス提供端末は、自動券売機及び売店に設置された端末であることを特徴とする請求項１から請求項６のいずれか１項に記載した遺失物管理システム。
【請求項８】
上記認証可能媒体は、移動端末であって、遺失物を問い合わせることが可能なアプリを格納している場合には、該アプリを起動して上記管理サーバと通信を行い、遺失物の確認及び保管場所の確認を行うことを特徴とする請求項１から請求項７のいずれか１項に記載した遺失物管理システム。
【請求項９】
読み取り可能なタグ識別情報を有するタグのタグ識別情報と、媒体を特定する識別情報若しくは媒体の所有者を認証可能な識別情報の少なくとも一方からなる認証識別情報を有するＩＣチップを備え且つ携帯可能な認証可能媒体の当該認証識別情報と、上記タグ若しくは上記タグが取り付けられた物品が遺失物と認定されているか否かを示す遺失物情報と、を対応づけた遺失物データを、管理装置が管理する記憶装置に記憶しておき、
タグ若しくはタグが取り付けられた物品の提供場所に設置されたタグ登録用の第１リーダライタが、上記タグ若しくは上記タグが取り付けられた物品が提供されるときに、近距離無線通信を行うことで上記タグのタグ識別情報と認証可能媒体の認証識別情報とを連続して読み取り、格納要求ボタンが押下されたときに、読み取った情報を、上記遺失物データとして登録するための格納要求信号と共に上記管理サーバに送信し、
遺失物の持ち込み場所に設置された遺失物登録用の第２リーダライタが、遺失物の持ち込みがあると、該遺失物に付されているタグのタグ識別情報を読み取り、読み取ったタグ識別情報と、該遺失物の保管場所に関する保管場所コードと、上記遺失物データを更新するためのデータ更新要求信号と、を共に上記管理サーバに送信し、
サービス提供端末が、上記認証可能媒体から、サービス提供その他の目的で上記認証可能媒体の所有者を認証可能な認証識別情報を読み取る際に、上記管理サーバと通信を行い、対応する認証可能媒体に対応する遺失物データの遺失物情報に基づき、遺失物と認定されている遺失物データがある場合には、その旨を自身の表示部に表示、若しくはその情報を上記認証可能媒体に送信し、
遺失物の引き渡し場所に設置された所有者確認用の第３リーダライタが、上記遺失物の引き渡し時に、上記認証可能媒体から上記認証識別情報を読み取り、上記認証識別情報を読み取った際に参照ボタンが押下されると、上記認証識別情報に対応し且つ遺失物と認定されているタグ識別情報を上記記憶装置から読み出して上記遺失物引き渡し場所の表示装置に表示し、更に物品に取り付けられたタグを読み取って、読み取られたタグ識別情報が上記タグ識別情報であるか確認することを特徴とする遺失物管理方法。
【請求項１０】
上記遺失物の移動がある度に、移動先にある上記第２リーダライタが、上記遺失物に付されているタグのタグ識別情報を読み取り、読み取ったタグ識別情報と、上記遺失物の保管場所に関する保管場所コードと、上記データ更新要求信号と、を共に上記管理サーバに送信し、
上記第１リーダライタ、上記第２リーダライタ、及び上記第３リーダライタのうち少なくとも１つのリーダライタが、上記認証可能媒体から上記認証識別情報を読み取り、参照ボタンが押下されたときに、上記認証識別情報と、参照要求信号と、を共に上記管理サーバに送信し、応答として上記管理サーバから上記遺失物の保管場所の情報を受信して表示し、登録されているタグの確認、及び登録不要なタグの消去又は更新を実施することを特徴とする請求項９に記載した遺失物管理方法。
【発明の詳細な説明】
【技術分野】
【０００１】
本発明は、読み取り可能な識別情報を有するタグが付された物品を管理するための遺失物管理の技術に関する。
【背景技術】
【０００２】
遺失物を管理する技術としては、例えば特許文献１〜特許文献５に記載の技術が開示されている。
特許文献１に記載の技術は、次の通りである。
遺失物情報システムが識別番号とパスワードとを発行し、これら物品に関する識別情報は遺失物データベースに登録しておく。ここで、上記識別番号は物品（製品）に添付され、パスワードはその保証書に添付される。そして、ユーザからの通信回線を介した遺失物の問い合わせに対し、上記パスワードでユーザ認証を行って、遺失物の保管状況を返答する。
【０００３】
特許文献２に記載の技術は、回収表示が視認でき且つ識別コードを有する媒体を物品に添付しておき、遺失物を発見した拾得者に、ポストへの投函を促すというものである。
特許文献３には、識別コードを有する識別媒体を物品に取り付けておき、当該物品を遺失した際に、ユーザは、該物品を遺失物として保管する遺失物保管部とネットワークに接続して、個人情報を入力することで回収状況の閲覧を行うことが開示されている。
【０００４】
特許文献４には、遺失物に付されたＩＣタグのタグＩＤに対応する連絡先をデータベース上にて管理し、遺失物回収時に当該ＩＣタグを読み取りデータベースに登録された連絡先へ回収通知を行うことが開示されている。
特許文献５に記載の技術は、次の通りである。ユーザ端末から、タグ番号とユーザのメールアドレスとを管理サーバに送信し、管理サーバで受信したタグ番号とメールアドレスとを対応付けて記憶しておく。そして情報機器は、遺失物に付されたタグから読み取ったタグ番号と遺失物保管場所とを管理サーバに通知する。管理サーバは、タグ番号に対応するメールアドレスをデータベースから読み取り、そのメールアドレスに上記保管場所を連絡するメールを送信する。
【先行技術文献】
【特許文献】
【０００５】
【特許文献１】特開２００２−７３９０８号公報
【特許文献２】特開２００２−３６６６４４号公報
【特許文献３】特開２００６−１８７０４号公報
【特許文献４】特開２００６−１５５２９６号公報
【特許文献５】特開２００８−２１０１９７号公報
【発明の概要】
【発明が解決しようとする課題】
【０００６】
上記従来のような遺失物を管理する技術では、遺失物の回収通知を受けるには、物品に付するタグに対応付けて、遺失物管理用のためだけにメールアドレスなどを個別に登録しておく必要がある。
また、従来の技術では、遺失物の引き渡しを受ける際に、その物品の所有者であるという本人確認を簡易に行うことが出来ないという課題がある
本発明は、上記のような点に着目してなされたもので、遺失物引き渡しの際の本人確認を簡易に行うことを可能とする遺失物管理システムを提供することを目的としている。
【課題を解決するための手段】
【０００７】
上記課題を解決するために、本発明のうち請求項１に記載した発明は、読み取り可能なタグ識別情報を有するタグの当該タグ識別情報と、媒体を特定する識別情報若しくは媒体の所有者を認証可能な識別情報の少なくとも一方からなる認証識別情報を有するＩＣチップを備え且つ携帯可能な認証可能媒体の当該認証識別情報と、上記タグ若しくは上記タグが取り付けられた物品が遺失物と認定されているか否かを示す遺失物情報と、を対応づけた遺失物データを記憶する記憶装置を管理する管理サーバと、タグ若しくはタグが取り付けられた物品の提供場所に設置されたタグ登録用の第１リーダライタと、遺失物の持ち込み場所に設置された遺失物登録用の第２リーダライタと、上記認証可能媒体の所有者を認証可能な認証識別情報を読み取るサービス提供端末と、遺失物の引き渡し場所に設置された所有者確認用の第３リーダライタと、を備えることを特徴とする遺失物管理システムを提供するものである。
上記第１リーダライタは、上記タグ若しくは上記タグが取り付けられた物品が提供されるときに、近距離無線通信を行うことで上記タグのタグ識別情報と認証可能媒体の認証識別情報とを連続して読み取り、格納要求ボタンが押下されたときに、読み取った情報を、上記遺失物データとして登録するための格納要求信号と共に上記管理サーバに送信する。
上記第２リーダライタは、遺失物の持ち込みがあると、該遺失物に付されているタグのタグ識別情報を読み取り、読み取ったタグ識別情報と、該遺失物の保管場所に関する保管場所コードと、上記遺失物データを更新するためのデータ更新要求信号と、を共に上記管理サーバに送信する。
上記サービス提供端末は、上記認証可能媒体から、サービス提供その他の目的で上記認証可能媒体の所有者を認証可能な認証識別情報を読み取る際に、上記管理サーバと通信を行い、対応する認証可能媒体に対応する遺失物データの遺失物情報に基づき、遺失物と認定されている遺失物データがある場合には、その旨を自身の表示部に表示、若しくはその情報を上記認証可能媒体に送信する。
上記第３リーダライタは、上記遺失物の引き渡し時に、上記認証可能媒体から上記認証識別情報を読み取り、上記認証識別情報を読み取った際に参照ボタンが押下されると、上記認証識別情報に対応し且つ遺失物と認定されているタグ識別情報を上記記憶装置から読み出して上記遺失物引き渡し場所の表示装置に表示し、更に物品に取り付けられたタグを読み取って、読み取られたタグ識別情報が上記タグ識別情報であるか確認する。
【０００８】
次に、請求項２に記載した発明は、請求項１に記載した構成に対し、上記遺失物の移動がある度に、移動先にある上記第２リーダライタが、上記遺失物に付されているタグのタグ識別情報を読み取り、読み取ったタグ識別情報と、上記遺失物の保管場所に関する保管場所コードと、上記データ更新要求信号と、を共に上記管理サーバに送信し、
上記第１リーダライタ、上記第２リーダライタ、及び上記第３リーダライタのうち少なくとも１つのリーダライタが、上記認証可能媒体から上記認証識別情報を読み取り、参照ボタンが押下されたときに、上記認証識別情報と、参照要求信号と、を共に上記管理サーバに送信し、応答として上記管理サーバから上記遺失物の保管場所の情報を受信して表示し、登録されているタグの確認、及び登録不要なタグの消去又は更新を行うための機能を有することを特徴とするものである。
次に、請求項３に記載した発明は、請求項１又は請求項２に記載した構成に対し、上記管理サーバが、上記データ更新要求信号と共に、上記認証識別情報及び更新情報を入力すると、上記記憶装置内の対応する遺失物データを更新し、上記遺失物情報に対して、遺失物と認定されていない場合に初期フラグを設定し、遺失物と認定されている場合に遺失フラグを設定することを特徴とするものである。
次に、請求項４に記載した発明は、請求項３に記載した構成に対し、上記管理サーバが、上記更新情報として遺失物情報の初期化情報を入力した場合には、上記記憶装置内の対応する遺失物データの遺失物情報に初期フラグを設定し、上記更新情報として新たな保管場所コードを入力した場合には、上記記憶装置内の対応する遺失物データの保管場所コードを更新することを特徴とするものである。
【０００９】
次に、請求項５に記載した発明は、請求項１から請求項４のいずれか１項に記載した構成に対し、上記認証可能媒体は、上記認証識別情報として、特定の施設又は空間に対する通行確認用の通行確認端末で読み取り可能な通行許可用の通行認証情報を有し、上記通行確認端末及び上記サービス提供端末は、上記認証可能媒体から上記通行認証情報を読み取る際に、上記記憶装置を管理する管理サーバと通信を行い、対応する認証可能媒体に対応する遺失物データの遺失物情報に基づき、遺失物と認定されている遺失物データがある場合には、遺失物有りの旨を、上記通行確認端末の表示部に表示し、且つ上記認証可能媒体に書き込むことを特徴とするものである。
【００１０】
次に、請求項６に記載した発明は、請求項５に記載した構成に対し、上記通行確認端末は、交通機関を利用するために通過する改札口に設けられた自動改札機、及び催し会場並びに特定の企業施設への入退場口に設けられた入退場確認用の端末であり、上記認証可能媒体は、上記ＩＣチップを備えた移動端末、通行カード、クレジットカード、及び銀行カードであることを特徴とするものである。
【００１１】
次に、請求項７に記載した発明は、請求項１から請求項６のいずれか１項に記載した構成に対し、上記認証可能媒体は、上記ＩＣチップを備えた移動端末、通行カード、クレジットカード、及び銀行カードであり、上記サービス提供端末は、自動券売機及び売店に設置された端末であることを特徴とするものである。
【００１２】
次に、請求項８に記載した発明は、請求項１から請求項７のいずれか１項に記載した構成に対し、上記認証可能媒体は、移動端末であって、遺失物を問い合わせることが可能なアプリを格納している場合には、該アプリを起動して上記管理サーバと通信を行い、遺失物の確認及び保管場所の確認を行うことを特徴とするものである。
【００１３】
次に、請求項９に記載した発明は、読み取り可能なタグ識別情報を有するタグのタグ識別情報と、媒体を特定する識別情報若しくは媒体の所有者を認証可能な識別情報の少なくとも一方からなる認証識別情報を有するＩＣチップを備え且つ携帯可能な認証可能媒体の当該認証識別情報と、上記タグ若しくは上記タグが取り付けられた物品が遺失物と認定されているか否かを示す遺失物情報と、を対応づけた遺失物データを、管理装置が管理する記憶装置に記憶しておき、
タグ若しくはタグが取り付けられた物品の提供場所に設置されたタグ登録用の第１リーダライタが、上記タグ若しくは上記タグが取り付けられた物品が提供されるときに、近距離無線通信を行うことで上記タグのタグ識別情報と認証可能媒体の認証識別情報とを連続して読み取り、格納要求ボタンが押下されたときに、読み取った情報を、上記遺失物データとして登録するための格納要求信号と共に上記管理サーバに送信し、
遺失物の持ち込み場所に設置された遺失物登録用の第２リーダライタが、遺失物の持ち込みがあると、該遺失物に付されているタグのタグ識別情報を読み取り、読み取ったタグ識別情報と、該遺失物の保管場所に関する保管場所コードと、上記遺失物データを更新するためのデータ更新要求信号と、を共に上記管理サーバに送信し、
サービス提供端末が、上記認証可能媒体から、サービス提供その他の目的で上記認証可能媒体の所有者を認証可能な認証識別情報を読み取る際に、上記管理サーバと通信を行い、対応する認証可能媒体に対応する遺失物データの遺失物情報に基づき、遺失物と認定されている遺失物データがある場合には、その旨を自身の表示部に表示、若しくはその情報を上記認証可能媒体に送信し、
遺失物の引き渡し場所に設置された所有者確認用の第３リーダライタが、上記遺失物の引き渡し時に、上記認証可能媒体から上記認証識別情報を読み取り、上記認証識別情報を読み取った際に参照ボタンが押下されると、上記認証識別情報に対応し且つ遺失物と認定されているタグ識別情報を上記記憶装置から読み出して上記遺失物引き渡し場所の表示装置に表示し、更に物品に取り付けられたタグを読み取って、読み取られたタグ識別情報が上記タグ識別情報であるか確認することを特徴とする遺失物管理方法を提供するものである。
【００１４】
次に、請求項１０に記載した発明は、請求項９に記載した構成に対し、上記遺失物の移動がある度に、移動先にある上記第２リーダライタが、上記遺失物に付されているタグのタグ識別情報を読み取り、読み取ったタグ識別情報と、上記遺失物の保管場所に関する保管場所コードと、上記データ更新要求信号と、を共に上記管理サーバに送信し、
上記第１リーダライタ、上記第２リーダライタ、及び上記第３リーダライタのうち少なくとも１つのリーダライタが、上記認証可能媒体から上記認証識別情報を読み取り、参照ボタンが押下されたときに、上記認証識別情報と、参照要求信号と、を共に上記管理サーバに送信し、応答として上記管理サーバから上記遺失物の保管場所の情報を受信して表示し、登録されているタグの確認、及び登録不要なタグの消去又は更新を実施することを特徴とするものである。
【発明の効果】
【００１５】
本発明によれば、所有者が携帯するＩＣチップ付き認証可能媒体に対する認証識別情報と、タグのタグ識別情報とを対応付けて（紐付けて）遺失物データとして記憶しておくことで、上記タグを付した遺失物の引き渡しの際に、遺失物の引き取りにきた人物が所有するＩＣチップ付き認証可能媒体を読み取ることで、容易に遺失物の引渡人であることを確認することが可能となる。
【００１６】
この結果、遺失物の引き渡しの際における、本人確認を簡易に実施できる。
また請求項２に係る発明によれば、認証可能媒体はＩＣチップを有しているので、情報送信手段の読み取り機で簡易に認証識別情報を読み取ることが出来る。この結果、簡易に認証識別情報とタグ識別情報とを対応付けることが出来る。なお、一度に複数のタグを読み込んで登録してもよい。
【００１７】
また請求項３に係る発明によれば、保管場所情報を有するので、どの保管場所に遺失物を受け取りに行けばよいかが分かる。
また請求項４に係る発明によれば、認証可能媒体は、少なくとも特定の施設又は空間においては、確実に所有者を認証可能な媒体となる。このため、上記特定の施設又は空間での遺失物に対して、認証可能媒体はより有効な認証媒体となると共に、より確実に所有者が携帯しているはずの媒体となる。
【００１８】
特に請求項５に係る発明によれば、特定の施設又は空間が交通機関に関する場合には、移動が通常行われる場所であるので遺失物と所有者とが離れた位置となる可能性が高いために、より物品を紛失しやすい傾向にある。このため、より本発明の効果を奏しやすくなる。
【００１９】
また請求項６に係る発明によれば、通行のために通行確認端末で通行確認情報を読み取る際に、自己の遺失物があれば、通知を受けることが出来る。特に交通機関の改札に設けられた通行確認端末である改札機は、出るときに必ず通過するので、少なくともそのときに遺失物の通知を行う事が可能となる。
【００２０】
このとき、認証可能媒体側に遺失物の通知情報の書込が出来れば、通過時に気づかない場合でも、後で確認可能である。特にＩＣチップ付き認証可能媒体が表示機能を有している場合は表示できて便利である。
【００２１】
また請求項７に係る発明によれば、たとえ改札機能などの通行機能を有しないＩＣチップ付き認証可能媒体であっても、紛失確認とは別の目的で認証読み取り端末とデータの授受を行う際に、遺失物の通知を受けることが可能となる。
【００２２】
また請求項８に係る発明によれば、認証可能媒体を所有者確認用読み取り手段で読み取らせるだけで、簡易に遺失物の引き渡し人との認定が可能となる。
【図面の簡単な説明】
【００２３】
【図１】本発明に基づく実施形態に係るシステム構成を説明する図である。
【図２】本発明に基づく実施形態に係る遺失物管理サーバの構成を説明する図である。
【図３】本発明に基づく実施形態に係る遺失物データの例を示す図である。
【図４】本発明に基づく実施形態に係る登録時の処理を説明する図である。
【図５】本発明に基づく実施形態に係る回収通知時の処理を説明する図である。
【図６】本発明に基づく実施形態に係る遺失物引き渡し時の処理を説明する図である。
【発明を実施するための形態】
【００２４】
次に、本発明の実施形態について図面を参照して説明する。
（タグ１について）
本実施形態のタグ１は、光学的若しくは電気的に読み取り可能なタグＩＤなどのタグ識別情報ＩＤｔを有し、且つ物品に対し付することが可能なタグである。上記タグ識別情報ＩＤｔは、バーコードや二次元バーコードのような印刷された識別情報であっても良いし、ＩＣチップに格納された識別子等からなっていても良い。もっともタグ識別情報ＩＤｔは視認可能な数字列であって良い。この場合には後述の読み取り機において、数字を打ち込むこととなるため若干面倒となる。
【００２５】
本実施形態では、タグ１は、ＩＣチップ付きのＲＦＩＤ（ＩＣタグ）として説明する。なお、タグ識別情報ＩＤｔは、タグ毎に出来るだけ一意の識別情報となるように設定しておく。
また、タグ１を物品に付する手段としては、例えば貼り付けや、ストラップなどによって取り付け可能となっているなど、公知の手段を採用すればよい。
【００２６】
（携帯可能な認証可能媒体２について）
認証可能媒体２は、ＩＣチップ２ａを備え且つ携帯可能な認証可能媒体である。上記ＩＣチップ２ａには、媒体を特定する個別の識別情報若しくは媒体の所有者を認証可能な個体識別情報の少なくとも一方からなる認証識別情報ＩＤｎが格納されている。その認証可能媒体２は、例えばＩＣチップ２ａ付きカード若しくは携帯可能な移動端末から構成される。認証識別情報ＩＤｎは、例えばカード番号、定期券の個人認証番号、通行認証情報、社員番号などである。
【００２７】
本実施形態の認証可能媒体２は、特定の施設又は空間に対する通行確認用の通行確認端末で読み取り可能な通行許可用の通行認証情報を有し、本実施形態では、その通行認証情報を上記認証識別情報ＩＤｎとした場合で説明する。なお、認証可能媒体２は、クレジットカードや銀行カードのようなものでも良い。
【００２８】
ここで、通行確認用の通行確認端末としては、鉄道などの交通機関における自動改札機、飛行機による交通機関における搭乗用の改札機、美術館・劇場・映画館・球技場等の催し会場への入退場口に設けられた入退場確認用の端末、特定の企業施設に対する入退場のために通行する箇所に設けられた通行確認端末などが例示できる。また、これに対応した認証可能媒体２としては、ＩＣチップ２ａを備えた通行カードが例示出来る。
【００２９】
最近では、携帯移動端末に対し、アプリによって上記通行認証情報が読み出し可能に格納されている場合もあり、このような場合には、上記携帯移動端末が認証可能媒体２となる。
認証可能媒体２は、液晶などからなる表示部２ｂを有していることがこのましい。
以下の例では、通行確認用の通行確認端末が、鉄道の交通機関における自動改札機とする。また、自動券売機や施設関係の売店などに設置された端末は、認証読み取り端末の一例となる。
【００３０】
（遺失物管理システム）
図１は、本実施形態の遺失物管理システムの概要構成図である。
符号３は遺失物管理サーバである。遺失物管理サーバ３は、図２に示すように、データ記憶処理部３Ａと、データ参照部３Ｂと、データ更新部３Ｃとを備える。
【００３１】
データ記憶処理部３Ａは、格納要求信号と共に、新たに対応するタグ識別情報ＩＤｔと認証識別情報ＩＤｎとが入力すると、そのタグ識別情報ＩＤｔと認証識別情報ＩＤｎに基づき、図３に示すような遺失物データ４を作成し、その作成した遺失物データ４を遺失物管理データベースを構成する記憶装置５に格納する。なお、入力したタグ識別情報ＩＤｔが、記憶装置５内に既に存在する場合には、その旨のエラーメッセージを返送する。また、記憶装置５に格納された遺失物データ４に対し、遺失物管理を行うための有効期限を設けておいても良い。
【００３２】
ここで、各遺失物データ４は、図３に示すように、認証識別情報ＩＤｎ、タグ識別情報ＩＤｔ、遺失物情報ＦＬＧ−Ｌ、保管場所情報ＨＬのエリアを有し、各エリアに例えばコード番号の状態で情報を格納しておく。なお、遺失物データ４は、それぞれ物理的に一つのデータとなっていなくても良い。例えば、認証識別情報ＩＤｎを含むデータからチェーン付けによってタグ識別情報ＩＤｔ等のデータが対応付けられていたりしても良い。本実施形態では、遺失物情報ＦＬＧ−Ｌは、遺失物と認定されている場合に「１」を、遺失物と認定されていない初期状態の場合に「０」を設定するものとする。保管場所情報ＨＬには保管場所に対応するコード番号を入力する。また、物品の種別情報などを別途格納して遺失物の特定が容易となるようにしても良い。
【００３３】
データ参照部３Ｂは、参照要求信号と共に認証識別情報ＩＤｎが入力すると、記憶装置５を参照して入力した認証識別情報ＩＤｎの遺失物データ４を返信する。このとき、認証識別情報ＩＤｎと共に遺失物要求情報があった場合には、遺失物情報ＦＬＧ−Ｌに基づき遺失物と認定されている遺失物データ４だけを返信する。
【００３４】
データ更新部３Ｃは、データ更新要求信号と共に、認証識別情報ＩＤｎ及び更新情報を入力すると、記憶装置５内の対応する遺失物データ４を更新する。例えば、遺失物情報ＦＬＧ−Ｌ初期化の更新情報を入力した場合には、対応する遺失物データ４の遺失物情報ＦＬＧ−Ｌに「０」を設定する。また、保管場所情報ＨＬの新たなコード番号を更新情報として入力した場合には、対応する遺失物データ４の保管場所情報ＨＬのコード番号を更新する。
【００３５】
符号６は、認証識別情報ＩＤｎ及びタグ識別情報ＩＤｔを読み取って送信するための第１リーダライタである。すなわち、第１リーダライタ６は、タグ登録用の読み取り機（情報送信手段）を構成する。第１リーダライタ６は、例えば、タグ１を販売する売店に設置しておく。第１リーダライタ６は、対応するタグ１と認証可能媒体２とそれぞれ接触若しくは近距離通信を行うことで、タグ識別情報ＩＤｔ及び認証識別情報ＩＤｎを連続して読み取る。その後、不図示の格納要求ボタンを押すと、読み込んだタグ識別情報ＩＤｔ及び認証識別情報ＩＤｎのデータが、格納要求信号と共に遺失物管理サーバ３に送信される。これによって、記憶装置５に遺失物データ４として格納される。
【００３６】
なお、認証可能媒体２自身が、タグ読み取り機能と、サーバ３への送信アプリを持っている場合には、認証可能媒体２で直接、タグ識別情報ＩＤｔを読み取って、遺失物管理サーバ３に送信するようにしても良い。
【００３７】
第２リーダライタ７は、遺失物登録用読み取り機である。すなわち、第２リーダライタ７は例えば駅員室に設置しておき、遺失物の持ち込みがあると、その遺失物に付されているタグ１のタグ識別情報ＩＤｔを読み取る。そして、読み取った識別情報と、保管場所コードと共にデータ更新要求信号と共に上記遺失物管理サーバ３に送信する。保管場所コードは、その遺失物登録用読み取り機に予め対応するコードを設定しておき、自動的に付するようにすればよい。または、コード番号を入力するようにしても良い。
【００３８】
なお、遺失物の移動がある度に、第２リーダライタ７でタグ識別情報ＩＤｔの情報を読み取って送信する。これによって、保管場所情報ＨＬの更新が行われる。
なお、上記第１リーダライタ６及び第２リーダライタ７の少なくも第２リーダライタ７は、認証可能媒体２の認証識別情報ＩＤｎだけの読み取り、参照ボタンを押すことで、認証識別情報ＩＤｎと参照要求信号と共に遺失物管理サーバ３に送信する機能を有する。この送信によって遺失物管理サーバ３から保管場所の情報が返信される。
【００３９】
符号８は通行確認端末を構成する自動改札機８である。自動改札機８は、認証可能媒体２中の通行認証情報を読み取る際に、上記管理サーバと通信を行い、対応する認証可能媒体２に対応する遺失物データ４の遺失物情報ＦＬＧ−Ｌに基づき、遺失物と認定されている遺失物データ４がある場合には、その旨を自動改札機８の表示部８ａに表示する。また認証可能媒体２に遺失物有りの情報を送信する。
【００４０】
符号９は、認証可能媒体２の所有者を認証可能な識別情報を読み取る認証読み取り端末の一例としての券売機である。券売機９は、認証可能媒体２から、券売その他の目的で認証可能な識別情報を読み取る際に、上記管理サーバと通信を行い、対応する認証可能媒体２に対応する遺失物データ４の遺失物情報ＦＬＧ−Ｌに基づき、遺失物と認定されている遺失物データ４がある場合には、その旨を上記券売機９の表示部９ａに表示する。若しくはその情報を認証可能媒体２に送信する。
【００４１】
符号１０は、認証可能媒体２の所有者を認証可能な識別情報を読み取る所有者確認用読み取り手段を構成する第３リーダライタである。
【００４２】
第３リーダライタ１０は、例えば遺失物の保管場所などの遺失物引き渡し場所に設置される。そして、第３リーダライタ１０は、遺失物の持ち主が所有する認証可能媒体２中の認証識別番号を読み取る。そして、参照ボタンを押すと、その認証識別番号に対応する遺失物と認定されているタグ識別情報ＩＤｔを記憶装置５から読み出して表示部１０ａに表示される。なお、タグ１情報番号に紐付けて遺失物の特徴等が入力してあってもよい。
【００４３】
そして、第３リーダライタ１０は、対応する遺失物のタグ１からタグ識別情報ＩＤｔを読み取り、上記表示部１０ａに表示されているタグ識別情報ＩＤｔと照合する。
符号１１は、鉄道の乗車一般を管理する乗車管理サーバ１１である。その乗車管理サーバ１１のデータベース１２には、上記認証可能媒体２に対応する各種情報が格納されている。このデータベースの認証可能媒体２に対応するデータの一部として遺失物関係の情報を持っていても良い。例えば、遺失物の取得があった場合には、メールにて連絡して欲しいメールアドレスなどを記憶してあっても良い。この場合には、遺失物データ４中の遺失物情報が「１」となると、自動的に遺失物有りのメールを配信するように設定してあっても良い。
【００４４】
ここで、上記第１〜第３リーダライタ１０は、同一のリーダライタであって良い。本実施形態では便宜的に、３種類に分けて記載している。
【００４５】
（動作その他）
「登録」
認証可能媒体２を携帯するユーザが、売店等でタグ１を購入する。このとき、図４に示すように、第１リーダライタ６で、認証可能媒体２及びタグ１の認証識別情報ＩＤｎ及びタグ識別情報ＩＤｔを順番に読み取って遺失物管理サーバ３に送信することで、遺失物管理サーバ３は、対応する遺失物データ４を作成して記憶装置５に格納し、当該遺失物データ４が管理状態となる。このとき、遺失物データ４の遺失物情報ＦＬＧ−Ｌは「０」となっている。なお、上記タグ識別情報ＩＤｔを認証可能媒体２にも格納しておいても良い。
【００４６】
ここで本実施形態では、上記タグ識別情報ＩＤｔは、予めタグ１に設定している場合を想定して説明しているが、タグ１購買時に当該タグ１にタグ識別情報ＩＤｔを書き込むようにしても良い。
ユーザは、上記タグ１を自分の持ち物（以下物品とも呼ぶ。）に対し貼り付け等によって取り付けておく。
【００４７】
「遺失物回収」
そして、上記タグ１を取り付けた物品が遺失物として回収されると、第２リーダライタ７で上記タグ１のタグ識別情報ＩＤｔが読み取られる。読み取られたタグ識別情報ＩＤｔが遺失物管理サーバ３に送られることで、対応する遺失物データ４の遺失物情報ＦＬＧ−Ｌが「１」に変更されると共に、保管場所情報ＨＬのコード番号も当該遺失物データ４に設定される。
【００４８】
「遺失物確認」
持ち物の紛失に気づいたユーザは、最寄りのリーダライタによって認証可能媒体２の認証識別情報ＩＤｎを読み取り、参照要求信号と共に遺失物管理サーバ３に送信することで、対応する遺失物データ４の情報を表示部に表示させて、紛失物が回収されているか、回収されていればどの保管場所にあるか確認する。なお、紛失していない場合でも、登録されているタグ１の確認が出来、遺失物として登録不要なタグ１の消去（更新）を行うために使用しても良い。
【００４９】
また、認証可能媒体２が携帯端末などであって、遺失物を問い合わせる事が可能なアプリが格納されている場合には、そのアプリを起動して遺失物の確認や保管場所の確認を行っても良い。
【００５０】
「回収通知」
また、ユーザが自動改札機８で認証可能媒体２を読み取る際に、図５に示すように、自動改札機８の制御部は遺失物管理サーバ３と通信を行い、対応する遺失物が存在する場合には、自動改札機８の表示部にその旨の表示を行う。また、その情報を取得可能な認証可能媒体２の場合には、遺失物有りの情報を当該認証可能媒体２に送信する。上記処理は、券売機９で認証可能媒体２を読み取る際にも実施される。
【００５１】
これによって、ユーザは遺失物があったことが簡易に通知される。
ここで、認証可能媒体２が表示部付きＩＣカードや携帯端末などの場合には、認証可能媒体２の表示部に、上記遺失物有りの表示や保管場所情報ＨＬなどを表示させるようにすることが好ましい。
また、乗車管理サーバ１１のデータベースの情報に基づいて、メールにて携帯端末やユーザのパソコン等に遺失物が有る旨を、ユーザに通知しても良い。
【００５２】
「遺失物引き渡し」
図６に示すように、ユーザが所有する認証可能媒体２の認証識別情報ＩＤｎを第３リーダライタ１０で読み取る。その読み取った認証識別情報ＩＤｎを遺失物管理サーバ３に送信する、遺失物管理サーバ３では、遺失物有りのタグ１情報との照合を行い、照合結果を第３リーダライタ１０に送信し、第３リーダライタ１０用の表示部に表示する。なお、このとき、ユーザが所有する認証可能媒体２にその情報を送って、当該認証可能媒体２の表示部に表示するようにしても良い。
【００５３】
そして、駅員が、表示部に表示されたタグ識別情報ＩＤｔに対応するであろう物品を持ってきて、その物品に取り付けあるタグ１を第３リーダライタ１０で読み取って、上記照合結果のタグ識別情報ＩＤｔか確認し、間違いがなければ、その物品をユーザに引き渡す。
このとき、ユーザが所有する認証可能媒体２の認証識別情報ＩＤｎを第３リーダライタ１０で読み取っているので、遺失物の持ち主か否かの確認が不要であり、簡易に引き渡し作業を行うことが出来る。
【００５４】
なお、上記説明では、ユーザが保管場所に出向く場合で説明した。これに代えて、最寄り駅まで遺失物を移動させて貰って、当該最寄り駅のリーダライタで上記遺失物引き渡し処理を行うようにしても良い。
【００５５】
（本実施形態の効果）
以上のように、所有者が携帯するＩＣチップ２ａ付き認証可能媒体２に対する認証識別情報ＩＤｎと、タグ１のタグ識別情報ＩＤｔとを対応付けて（紐付けて）遺失物データ４として記憶しておくことで、上記タグ１を付した遺失物の引き渡しの際に、遺失物の引き取りにきた人物のＩＣチップ２ａ付き認証可能媒体２を読み取ることで、遺失物の引渡人と容易に確認することが可能となる。
【００５６】
この結果、遺失物の引き渡しの際における、本人確認を簡易に実施できる。
また、認証可能媒体２はＩＣチップ２ａを有しているので、情報送信手段の読み取り機で簡易に認証識別情報ＩＤｎを読み取ることが出来るので、簡易に認証識別情報ＩＤｎとタグ識別情報ＩＤｔとを対応付けることが出来る。なお、一度に複数のタグ１を読み込んでもよい。
【００５７】
また、保管場所情報ＨＬを有するので、どの保管場所に遺失物受け取りに行けばよいかが分かる。
また、認証可能媒体２は、少なくとも特定の施設又は空間においては、確実に所有者を認証可能な媒体となる。このため、上記特定の施設又は空間での遺失物に対して、認証可能媒体２はより有効な認証媒体となると共に、より確実に携帯している媒体となる。
【００５８】
特に、特定の施設又は空間が交通機関の施設又は空間の場合には、移動が通常行われる場所であるので遺失物と所有者とが離れた位置となる可能性が高いために、より物品を紛失しやすいなど、より本発明の効果を奏する。
また、通行のために通行確認端末で通行確認情報を読み取る際に、自己の遺失物があれば、通知を受けることが出来る。特に交通機関の改札に設けられた通行確認端末である改札機８は、出るときに必ず通過するので、少なくともそのときに遺失物の通知を行う事が可能となる。
【００５９】
このとき、認証可能媒体２側に遺失物の通知情報の書込が出来れば、通過時に気づかない場合でも、後で確認可能である。特にＩＣチップ２ａ付き認証可能媒体２が表示機能を有している場合に便利である。
また、たとえ改札機８能などの通行機能を有しないＩＣチップ２ａ付き認証可能媒体２であっても、紛失確認とは別の目的で認証読み取り端末とデータの授受を行う際に、遺失物の通知を受けることが可能となる。
【００６０】
また、認証可能媒体２を所有者確認用読み取り手段で読み取らせるだけで、簡易に遺失物の引き渡し人との認定が可能となる。
【符号の説明】
【００６１】
１     タグ
２     認証可能媒体
２ａ   ＩＣチップ
３     遺失物管理サーバ
３Ａ   データ記憶処理部
３Ｂ   データ参照部
３Ｃ   データ更新部
４     遺失物データ
５     記憶装置
６     第１リーダライタ（読み取り機、情報送信手段）
７     第２リーダライタ（読み取り機）
８     自動改札機（通行確認端末）
９     券売機（認証読み取り端末）
１０   第３リーダライタ（読み取り機、所有者確認用読み取り手段）
１１   乗車管理サーバ
ＩＤｎ 認証識別情報
ＩＤｔ タグ識別情報
ＦＬＧ−Ｌ    遺失物情報
ＨＬ   保管場所情報
【図１】
0005589568.tif 000002
【図２】
0005589568.tif 000003
【図３】
0005589568.tif 000004
【図４】
0005589568.tif 000005
【図５】
0005589568.tif 000006
【図６】
0005589568.tif 000007